(57)【要約】【課題】携帯端末装置を用いながら、バッテリの残量を気にすることなく、高音質、且つ容易にサラウンド音楽の聴取を可能とする。【解決手段】充電出力コネクタ／入力コネクタを介してドッキングシステムから携帯電話機へ充電用電源が供給される。携帯電話機は、音楽データ用デコーダで、ＭＰ３、ＡＡＣ等の暗号化された音楽データを、再生遅延情報と左右の音データとに分割して演算し、バーチャルサラウンド音楽データとし、デジタルアナログ変換部でアナログ音楽信号に変換する。この音楽信号は音楽出力ＡＭＰで増幅され、ＳＰＫ出力コネクタ／入力コネクタを通して、ドッキングシステムのＳＰＫ  ＡＭＰに入力される。ＳＰＫ  ＡＭＰは、音楽信号を中音域、高音域、低音域に分離し、左右独立の中音域用スピーカ及び高音域用ツィータと、左右共通の低音用バススピーカとから楽音としてそれぞれ出力させる。【選択図】      図１
2006094367.tif 000002
【特許請求の範囲】
【請求項１】
バッテリを電源とし、サラウンド音楽データを再生してバーチャルサラウンドのための左右チャンネルのスピーカ出力用アナログ信号として出力する携帯端末装置と接続され、前記バッテリへの充電電源を供給し、前記アナログ信号のスピーカ出力を行うサラウンドスピーカ・ドッキングシステムであり、
前記携帯端末装置におけるバッテリへの充電電源の供給を外部から受けるための充電入力コネクタに接続され、内蔵あるいは外部接続された充電器からの充電電源を前記携帯端末装置へ供給する充電出力コネクタと、
前記携帯端末装置におけるスピーカ出力用アナログ信号を外部へ供給するためのスピーカ出力コネクタに接続され、前記サラウンド音楽データから再生された前記左右チャンネルのスピーカ出力用アナログ信号を受信するスピーカ入力コネクタと、
前記スピーカ入力コネクタを通して前記携帯端末装置から受信した左右チャンネルのスピーカ出力用アナログ信号を、可聴周波数帯域のうちの高音域、中音域、低音域にそれぞれ分離し、高音域及び中音域のアナログ信号は左右チャンネルをそれぞれ独立のまま、低音域のアナログ信号は左右チャンネルを合成して増幅するスピーカアンプと、
前記スピーカアンプからの左チャンネルの高音域のアナログ信号を可聴音として出力する左チャンネル高音域用ツィータと、
前記スピーカアンプからの右チャンネルの高音域のアナログ信号を可聴音として出力する右チャンネル高音域用ツィータと、
前記スピーカアンプからの左チャンネルの中音域のアナログ信号を可聴音として出力する左チャンネル中音域用スピーカと、
前記スピーカアンプからの右チャンネルの中音域のアナログ信号を可聴音として出力する右チャンネル中音域用スピーカと、
前記スピーカアンプからの低音域のアナログ信号を可聴音として出力する低音域バススピーカとを備えることを特徴とするサラウンドスピーカ・ドッキングシステム。
【請求項２】
前記スピーカアンプが、
前記スピーカ入力コネクタを通して受信した左チャンネルのスピーカ出力用アナログ信号を、可聴周波数帯域のうちの中高音域及び低音域にそれぞれ分離する第１の帯域分離フィルタと、
前記スピーカ入力コネクタを通して受信した右チャンネルのスピーカ出力用アナログ信号を、可聴周波数帯域のうちの中高音域及び低音域にそれぞれ分離する第２の帯域分離フィルタと、
前記第１の帯域分離フィルタから出力された中高音域のアナログ信号をスピーカ出力レベルまで増幅する第１の中高音域用アンプと、
前記第２の帯域分離フィルタから出力された中高音域のアナログ信号をスピーカ出力レベルまで増幅する第２の中高音域用アンプと、
前記第１の帯域分離フィルタから出力された低音域のアナログ信号と、前記第２の帯域分離フィルタから出力された低音域のアナログ信号とを合成し、スピーカ出力レベルまで増幅し、前記低音域バススピーカへ出力する低音域用アンプと、
前記第１の中高音域用アンプから出力された中高音域のアナログ信号を、高音域及び中音域に分離し、前記左チャンネル高音域用ツィータ及び左チャンネル中音域用スピーカへそれぞれ出力する第３の帯域分離フィルタと、
前記第２の中高音域用アンプから出力された中高音域のアナログ信号を、高音域及び中音域に分離し、前記右チャンネル高音域用ツィータ及び右チャンネル中音域用スピーカへそれぞれ出力する第４の帯域分離フィルタとを有することを特徴とする請求項１記載のサラウンドスピーカ・ドッキングシステム。
【請求項３】
前記第１の中高音域用アンプ、前記第２の中高音域用アンプ、及び前記低音域用アンプがそれぞれ、使用者の操作により増幅度を可変し、対応するスピーカからの出力音量を可変させる音量調整手段を有することを特徴とする請求項２記載のサラウンドスピーカ・ドッキングシステム。
【請求項４】
前面の中央下部に、前記スピーカ入力コネクタ及び前記充電出力コネクタを配置し、
前面の左側に、前記左チャンネル高音域用ツィータ及び左チャンネル中音域用スピーカを配置し、
前面の右側に、前記右チャンネル高音域用ツィータ及び右チャンネル中音域用スピーカを配置し、
背面に、前記低音域用バススピーカを配置したことを特徴とする請求項１記載のサラウンドスピーカ・ドッキングシステム。
【請求項５】
サラウンド音楽データを格納した着脱自在な外部メモリと、
前記外部メモリから読出したサラウンド音楽データをデコードし、再生遅延情報と左右チャンネルの音データとに分割し、再生遅延情報に基づき左右チャンネルの音データに所定の演算処理を施しバーチャルサラウンド音楽データとして出力する音楽データ用デコーダ手段と、
前記音楽データ用デコーダ手段から出力された音楽データをデジタル・アナログ変換するデジタルアナログ変換手段と、
前記デジタルアナログ変換手段から出力されたアナログ信号をスピーカ出力可能なレベルまで増幅する音楽出力増幅手段と、
前記音楽出力増幅手段から出力されたスピーカ出力用アナログ信号を外部へ供給させるためのスピーカ出力コネクタと、
自装置内各部へ電源を供給するバッテリと、
外部から前記バッテリへの充電電源の供給を受けるための充電入力コネクタとを備えることを特徴とする携帯端末装置。
【請求項６】
使用者のキー操作による指定情報の入力を受け付ける入力手段と、
使用者への可視情報の表示を行う表示手段と、
前記スピーカ出力コネクタ及び前記充電入力コネクタがそれぞれ、請求項１記載のサラウンドスピーカ・ドッキングシステムの前記スピーカ入力コネクタ及び前記充電出力コネクタに接続されたか否かを監視する監視手段と、
前記監視手段により前記サラウンドスピーカ・ドッキングシステムとの接続が検出されると、前記充電入力コネクタから入力される充電電源により前記バッテリへの充電を開始するとともに、前記外部メモリに格納されている複数のサラウンド音楽データの一覧を前記表示手段に表示し、前記入力手段を介して入力された使用者からの選択指定情報に基づいて指定されたサラウンド音楽データを、前記外部メモリより読出し、前記音楽データ用デコーダ手段へ供給する制御手段とを備えることを特徴とする請求項５記載の携帯端末装置。
【請求項７】
前記スピーカ出力コネクタ及び前記充電入力コネクタを自装置下端に配置し、請求項４記載のサラウンドスピーカ・ドッキングシステムの前記スピーカ入力コネクタ及び前記充電出力コネクタにそれぞれ接続可能としたことを特徴とする請求項５記載の携帯端末装置。
【請求項８】
請求項１記載のサラウンドスピーカ・ドッキングシステムに請求項５記載の携帯端末装置を搭載し、前記スピーカ出力コネクタ及び前記スピーカ入力コネクタ間と、前記充電入力コネクタ及び充電出力コネクタ間とをそれぞれ接続して構成したことを特徴とするサラウンド音楽再生システム。
【請求項９】
請求項１記載のサラウンドスピーカ・ドッキングシステムと請求項５記載の携帯端末装置とを接続してサラウンド音楽を再生する方法であり、
前記携帯端末装置で、前記サラウンドスピーカ・ドッキングシステムとの接続を検出すると、前記サラウンドスピーカ・ドッキングシステムからの充電電源により、前記バッテリへの充電を開始し、
前記外部メモリに格納されている複数のサラウンド音楽データの一覧を前記表示手段に表示して使用者へ提示し、
前記入力手段で使用者からの選択指定情報を受け付けると、指定されたサラウンド音楽データを、前記外部メモリより読出し、
読出したサラウンド音楽データをデコードし、再生遅延情報と左右チャンネルの音データとに分割し、再生遅延情報に基づき左右チャンネルの音データに所定の演算処理を施しバーチャルサラウンド音楽データとし、
前記バーチャルサラウンド音楽データをデジタル・アナログ変換して増幅し、左右チャンネルのスピーカ出力用アナログ信号として前記サラウンドスピーカ・ドッキングシステムへ送出し、
前記サラウンドスピーカ・ドッキングシステムで、前記左右チャンネルのスピーカ出力用アナログ信号を受信すると、高音域、中音域、低音域にそれぞれ分離し、高音域及び中音域のアナログ信号は左右チャンネルをそれぞれ独立のまま、低音域のアナログ信号は左右チャンネルを合成して増幅し、
高音域のアナログ信号は左右チャンネルそれぞれ独立した高音域用ツィータで可聴音出力し、
中音域のアナログ信号は左右チャンネルそれぞれ独立した中音域用スピーカで可聴音出力し、
低音域のアナログ信号は左右チャンネル共通の低音域用バススピーカで可聴音出力することを特徴とするサラウンド音楽再生方法。
【発明の詳細な説明】
【技術分野】
【０００１】
本発明は、サラウンド音楽の再生を行う携帯端末装置と、この携帯端末装置に対し、バッテリの充電用電源を供給するとともに、サラウンド（バーチャルサラウンド）音楽対応のスピーカ出力手段を提供するドッキングシステムとに関する。
【背景技術】
【０００２】
携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ：個人向け携帯型情報通信機器）等の携帯端末装置では、音楽を再生する機能が搭載されつつある。さらに音源データとしても、１チャンネル分（モノラル）だけでなく、２チャンネル分を用いるステレオ対応の携帯電話機が提案されている（例えば、特許文献１参照）。この携帯電話機では、２チャンネル分のアンプとスピーカを内蔵している。しかし、内蔵スピーカのサイズを大きくできず、良い音質で音楽を聴くためには、専用のヘッドフォンやスピーカセットを別途用意することが必要である。また、アンプの消費電力が大きいため、常にバッテリの残量を気にする必要がある。
【０００３】
音質を良くするためには、別売りのスピーカ用変換コネクタを準備し、別売りのスピーカを接続する方法がある。また、バッテリの電力消費を補填するために充電器を接続する方法がある。このため、充電器に、ステレオ（Ｌ（左）／Ｒ（右））用の２チャンネル分のアンプ及びスピーカ（外部接続、あるいは内蔵）を設けておき、音楽再生機能付き携帯通信端末を専用コネクタを介して充電器に載せると、携帯通信端末のバッテリに充電しながら、充電器のスピーカから音楽を聴くことができるシステムが提案されている（例えば、特許文献２参照）。
【０００４】
【特許文献１】特開２００４−９６５７３号公報（第２頁、図３）
【特許文献２】特開２００２−２８１１１９号公報（第２頁、図２）
【発明の開示】
【発明が解決しようとする課題】
【０００５】
最近は携帯端末装置においても、ＭＰ３（ＭＰＥＧ  Ａｕｄｉｏ  Ｌａｙｅｒ−３）やＡＡＣ（Ａｄｖａｎｃｅｄ  Ａｕｄｉｏ  Ｃｏｄｅｃ）などの音声フォーマットもサポートされている。音源データとして、ステレオ対応のデータだけでなく、サラウンド（バーチャルサラウンド）対応の高音質、高機能なデータが用いられるようになってきた。このサラウンド（バーチャルサラウンド）データを再生するためには、再生遅延情報に基づいてＬチャンネル信号及びＲチャンネル信号にそれぞれ遅延を与える必要がある。またスピーカも、サラウンド対応スピーカとして周波数帯域に応じた複数のスピーカを用いた方が、質のよいサラウンド音楽を聴くことができる。
【０００６】
なお、バーチャルサラウンドとは、聴取者の前面に置かれた２系統のスピーカの各信号に特殊な演算処理を行うことにより、あたかも視聴者の背面に別系統のスピーカ（仮想スピーカ）があり、その仮想スピーカからも音が出ているかのように感じさせる音響技術である。
【０００７】
しかし、上述した従来の技術（特許文献１記載技術、及び特許文献２記載技術）は、単純なステレオ音楽の再生に対応した技術であり、サラウンド音楽の再生には向いていない。
【０００８】
本発明の目的は、携帯端末装置を用いながら、バッテリの残量を気にすることなく、高音質、且つ容易にサラウンド（バーチャルサラウンド）音楽を聴くことを可能としたサラウンドスピーカ・ドッキングシステムと、それに接続する携帯端末装置と、そのサラウンド音楽再生方法とを提供することにある。
【課題を解決するための手段】
【０００９】
本発明のサラウンドスピーカ・ドッキングシステムは、バッテリを電源とし、サラウンド音楽データを再生してバーチャルサラウンドのための左右チャンネルのスピーカ出力用アナログ信号として出力する携帯端末装置と接続され、前記バッテリへの充電電源を供給し、前記アナログ信号のスピーカ出力を行うサラウンドスピーカ・ドッキングシステムであり、前記携帯端末装置におけるバッテリへの充電電源の供給を外部から受けるための充電入力コネクタに接続され、内蔵あるいは外部接続された充電器からの充電電源を前記携帯端末装置へ供給する充電出力コネクタと、前記携帯端末装置におけるスピーカ出力用アナログ信号を外部へ供給するためのスピーカ出力コネクタに接続され、前記サラウンド音楽データから再生された前記左右チャンネルのスピーカ出力用アナログ信号を受信するスピーカ入力コネクタと、前記スピーカ入力コネクタを通して前記携帯端末装置から受信した左右チャンネルのスピーカ出力用アナログ信号を、可聴周波数帯域のうちの高音域、中音域、低音域にそれぞれ分離し、高音域及び中音域のアナログ信号は左右チャンネルをそれぞれ独立のまま、低音域のアナログ信号は左右チャンネルを合成して増幅するスピーカアンプと、前記スピーカアンプからの左チャンネルの高音域のアナログ信号を可聴音として出力する左チャンネル高音域用ツィータと、前記スピーカアンプからの右チャンネルの高音域のアナログ信号を可聴音として出力する右チャンネル高音域用ツィータと、前記スピーカアンプからの左チャンネルの中音域のアナログ信号を可聴音として出力する左チャンネル中音域用スピーカと、前記スピーカアンプからの右チャンネルの中音域のアナログ信号を可聴音として出力する右チャンネル中音域用スピーカと、前記スピーカアンプからの低音域のアナログ信号を可聴音として出力する低音域バススピーカとを備える。
【００１０】
上記構成において、前記スピーカアンプが、前記スピーカ入力コネクタを通して受信した左チャンネルのスピーカ出力用アナログ信号を、可聴周波数帯域のうちの中高音域及び低音域にそれぞれ分離する第１の帯域分離フィルタと、前記スピーカ入力コネクタを通して受信した右チャンネルのスピーカ出力用アナログ信号を、可聴周波数帯域のうちの中高音域及び低音域にそれぞれ分離する第２の帯域分離フィルタと、前記第１の帯域分離フィルタから出力された中高音域のアナログ信号をスピーカ出力レベルまで増幅する第１の中高音域用アンプと、前記第２の帯域分離フィルタから出力された中高音域のアナログ信号をスピーカ出力レベルまで増幅する第２の中高音域用アンプと、前記第１の帯域分離フィルタから出力された低音域のアナログ信号と、前記第２の帯域分離フィルタから出力された低音域のアナログ信号とを合成し、スピーカ出力レベルまで増幅し、前記低音域バススピーカへ出力する低音域用アンプと、前記第１の中高音域用アンプから出力された中高音域のアナログ信号を、高音域及び中音域に分離し、前記左チャンネル高音域用ツィータ及び左チャンネル中音域用スピーカへそれぞれ出力する第３の帯域分離フィルタと、前記第２の中高音域用アンプから出力された中高音域のアナログ信号を、高音域及び中音域に分離し、前記右チャンネル高音域用ツィータ及び右チャンネル中音域用スピーカへそれぞれ出力する第４の帯域分離フィルタとを有する構成とすることができる。
【００１１】
また、前記第１の中高音域用アンプ、前記第２の中高音域用アンプ、及び前記低音域用アンプがそれぞれ、使用者の操作により増幅度を可変し、対応するスピーカからの出力音量を可変させる音量調整手段を有する構成とすることができる。
【００１２】
さらに、前面の中央下部に、前記スピーカ入力コネクタ及び前記充電出力コネクタを配置し、前面の左側に、前記左チャンネル高音域用ツィータ及び左チャンネル中音域用スピーカを配置し、前面の右側に、前記右チャンネル高音域用ツィータ及び右チャンネル中音域用スピーカを配置し、背面に、前記低音域用バススピーカを配置した構成とすることができる。
【００１３】
本発明の携帯端末装置は、サラウンド音楽データを格納した着脱自在な外部メモリと、前記外部メモリから読出したサラウンド音楽データをデコードし、再生遅延情報と左右チャンネルの音データとに分割し、再生遅延情報に基づき左右チャンネルの音データに所定の演算処理を施しバーチャルサラウンド音楽データとして出力する音楽データ用デコーダ手段と、前記音楽データ用デコーダ手段から出力された音楽データをデジタル・アナログ変換するデジタルアナログ変換手段と、前記デジタルアナログ変換手段から出力されたアナログ信号をスピーカ出力可能なレベルまで増幅する音楽出力増幅手段と、前記音楽出力増幅手段から出力されたスピーカ出力用アナログ信号を外部へ供給させるためのスピーカ出力コネクタと、自装置内各部へ電源を供給するバッテリと、外部から前記バッテリへの充電電源の供給を受けるための充電入力コネクタとを備える。
【００１４】
上記構成において、使用者のキー操作による指定情報の入力を受け付ける入力手段と、使用者への可視情報の表示を行う表示手段と、前記スピーカ出力コネクタ及び前記充電入力コネクタがそれぞれ、上記構成のサラウンドスピーカ・ドッキングシステムの前記スピーカ入力コネクタ及び前記充電出力コネクタに接続されたか否かを監視する監視手段と、前記監視手段により前記サラウンドスピーカ・ドッキングシステムとの接続が検出されると、前記充電入力コネクタから入力される充電電源により前記バッテリへの充電を開始するとともに、前記外部メモリに格納されている複数のサラウンド音楽データの一覧を前記表示手段に表示し、前記入力手段を介して入力された使用者からの選択指定情報に基づいて指定されたサラウンド音楽データを、前記外部メモリより読出し、前記音楽データ用デコーダ手段へ供給する制御手段とを備える構成とすることができる。
【００１５】
また、前記スピーカ出力コネクタ及び前記充電入力コネクタを自装置下端に配置し、上記構成のサラウンドスピーカ・ドッキングシステムの前記スピーカ入力コネクタ及び前記充電出力コネクタにそれぞれ接続可能とした構成とすることができる。
【００１６】
本発明のサラウンド音楽再生システムは、上記構成のサラウンドスピーカ・ドッキングシステムに上記構成の携帯端末装置を搭載し、前記スピーカ出力コネクタ及び前記スピーカ入力コネクタ間と、前記充電入力コネクタ及び充電出力コネクタ間とをそれぞれ接続して構成してある。
【００１７】
本発明のサラウンド音楽再生方法は、上記構成のサラウンドスピーカ・ドッキングシステムと上記構成の携帯端末装置とを接続してサラウンド音楽を再生する方法であり、前記携帯端末装置で、前記サラウンドスピーカ・ドッキングシステムとの接続を検出すると、前記サラウンドスピーカ・ドッキングシステムからの充電電源により、前記バッテリへの充電を開始し、前記外部メモリに格納されている複数のサラウンド音楽データの一覧を前記表示手段に表示して使用者へ提示し、前記入力手段で使用者からの選択指定情報を受け付けると、指定されたサラウンド音楽データを、前記外部メモリより読出し、読出したサラウンド音楽データをデコードし、再生遅延情報と左右チャンネルの音データとに分割し、再生遅延情報に基づき左右チャンネルの音データに所定の演算処理を施しバーチャルサラウンド音楽データとし、前記バーチャルサラウンド音楽データをデジタル・アナログ変換して増幅し、左右チャンネルのスピーカ出力用アナログ信号として前記サラウンドスピーカ・ドッキングシステムへ送出し、前記サラウンドスピーカ・ドッキングシステムで、前記左右チャンネルのスピーカ出力用アナログ信号を受信すると、高音域、中音域、低音域にそれぞれ分離し、高音域及び中音域のアナログ信号は左右チャンネルをそれぞれ独立のまま、低音域のアナログ信号は左右チャンネルを合成して増幅し、高音域のアナログ信号は左右チャンネルそれぞれ独立した高音域用ツィータで可聴音出力し、中音域のアナログ信号は左右チャンネルそれぞれ独立した中音域用スピーカで可聴音出力し、低音域のアナログ信号は左右チャンネル共通の低音域用バススピーカで可聴音出力する工程を有する。
【発明の効果】
【００１８】
本発明によれば、使用者は別途サラウンド対応のスピーカセットを準備する必要がなくなるだけでなく、バッテリを充電しながらサラウンド（バーチャルサラウンド）の音楽を高音質で再生することが可能となる。このため、バッテリの残量を気にすることなく、携帯電話機等の携帯端末装置の音楽再生機能をより広範に利用することができる。
【発明を実施するための最良の形態】
【００１９】
まず、本発明の概要を説明する。近年、携帯電話機等の携帯端末装置は、ステレオ機能搭載等により音質が向上し、またＭＰ３、ＡＡＣなどのサポートする音声フォーマットのサポートが拡大し、また外部メモリもサポートされている。本発明は、このような携帯端末装置を用いてサラウンド（バーチャルサラウンド）音楽を聴く際、バッテリの残量を気にすることなく、容易に且つ高音質で聴くことができる携帯端末装置用充電機能付きサラウンドスピーカ・ドッキングシステム（以下、ドッキングシステムと略記する場合がある）と、それに接続する携帯端末装置と、そのサラウンド音楽再生方法とを提供する。
【００２０】
本発明に適用される携帯端末装置は、ＭＰ３等の音楽データ等の格納手段である着脱自在な外部メモリと、その音楽データと同データを再生するためのプログラムとを一時的に格納する手段である作業用メモリとを有する。携帯端末装置はまた、ＭＰ３、ＡＡＣ等の暗号化された音楽データを、再生遅延情報（遅延情報と略記）と左／右（Ｌ／Ｒ）チャンネルの音データとに分割（デコード）し、遅延情報に基づき左右チャンネルの音データに所定の演算処理を施しバーチャルサラウンド音楽データとして出力する音楽データ用デコーダ手段を有する。携帯端末装置はまた、音楽データに対するデジタル−アナログ変換を行う手段であるデジタルアナログ変換手段と、アナログ変換された信号を増幅しスピーカ出力可能とさせる音楽出力増幅手段と、増幅された音楽出力を携帯電話機の外部へ供給させるためのスピーカ出力コネクタとを有する。携帯端末装置はまた、充電手段である充電回路と、外部から充電用の電源の供給を受ける充電入力コネクタとを有する。
【００２１】
本発明のドッキングシステムは、携帯端末装置のスピーカ出力コネクタと接続する手段であるスピーカ入力コネクタと、増幅された音楽信号を可聴周波数帯域のうちの高音域、中音域、低音域に分離し、各スピーカの信号レベルへ増幅する手段であるスピーカ増幅手段とを有する。ドッキングシステムはまた、中音域の左右の音を鳴らす手段である中音域用スピーカと、高音域の左右の音を鳴らす手段である高音域用ツィータと、低音域用の音を鳴らす手段である低音用バススピーカとを有する。ドッキングシステムはまた、携帯端末装置の充電用電源、及びスピーカ増幅手段等の内部回路用電源の供給を受けるための電源コネクタと、携帯端末装置の充電入力コネクタに接続し、充電用の電源を供給する手段である充電出力コネクタとを有する。
【００２２】
次に、本発明の実施例について図面を参照して詳細に説明する。
【実施例１】
【００２３】
図１は、本発明のサラウンドスピーカ・ドッキングシステム（以下、ドッキングシステムと略記）と、それに接続される携帯端末装置の第一の実施例（実施例１）を示すブロック図である。本例のドッキングシステム２は、携帯端末装置として携帯電話機１と接続される。
【００２４】
図１において、ドッキングシステム２は、スピーカ入力コネクタ（ＳＰＫ入力コネクタ）２１１と、スピーカアンプ（ＳＰＫ  ＡＭＰ）２１２と、Ｌチャンネル用の中音域用スピーカ２１３と、Ｒチャンネル用の中音域用スピーカ２１４と、低音域用バススピーカ２１５と、Ｌチャンネル用の高音域用ツイータ２１６と、Ｒチャンネル用の高音域用ツイータ２１７と、充電出力コネクタ２２１と、電源コネクタ２２０とを有している。
【００２５】
電源コネクタ２２０は、携帯電話機１への充電用電源、及び自システム内部回路（ＳＰＫ  ＡＭＰ２１２）用の電源として、図示していない外部の充電器から直流電源の供給を受ける。なお、電源コネクタ２２０の代わりに、充電器そのものを内蔵するようにしてもよい。この場合、外部から商用交流電源の供給を受け、充電器で直流電源に変換する。
【００２６】
充電出力コネクタ２２１は、携帯電話機１（その充電入力コネクタ１３２）に接続され、電源コネクタ２２０に供給された直流電源を、充電用電源として携帯電話機１に供給する。
【００２７】
ＳＰＫ入力コネクタ２１１は、携帯電話機１（そのＳＰＫ出力コネクタ１２６）に接続され、携帯電話機１から供給される左右（Ｌ／Ｒ）２チャンネル分のスピーカ駆動用のアナログ音楽信号を受け、ＳＰＫ  ＡＭＰ２１２へ伝達する。
【００２８】
ＳＰＫ  ＡＭＰ２１２は、携帯電話機１からの音楽信号を高音域、中音域、低音域に分離し、それぞれ各スピーカ（２１３〜２１７）の信号レベルへ増幅して分配する。
【００２９】
各音域の周波数範囲については、本実施例においては、１２０Ｈｚ以下を低音域、１２０Ｈｚ〜２ＫＨｚを中音域、２ＫＨｚ以上を高音域とする。
【００３０】
中音域用スピーカ（Ｌ）２１３，中音域用スピーカ（Ｒ）２１４は、それぞれ、Ｌチャンネル，Ｒチャンネルの中音域（１２０Ｈｚ付近〜２ＫＨｚ付近）の可聴音を出力する。高音域用ツィータ（Ｌ）２１６，高音域用ツィータ（Ｒ）２１７は、それぞれ、Ｌチャンネル，Ｒチャンネルの高音域（２ｋＨｚ付近〜２０ＫＨｚ付近）の可聴音を出力する。低音域用バススピーカ２１５は、ＬチャンネルとＲチャンネルとをミックス（合成）した低音域（４０Ｈｚ付近〜１２０Ｈｚ付近）の可聴音を出力する。
【００３１】
ＳＰＫ  ＡＭＰ２１２の構成例を図４に示す。
【００３２】
図４において、ＳＰＫ  ＡＭＰ２１２は、ＳＰＫ入力コネクタ２１１に接続された入力端子４０１，４４１を通して、携帯電話機１から受信したＬ／Ｒチャンネル用音楽信号を、帯域分離フィルタ４０２，４４２にそれぞれ供給する。
【００３３】
帯域分離フィルタ４０２は、Ｌチャンネル用音楽信号を中高音域と低音域とに分離し、Ｌチャンネル用中高音域用アンプ４０３と低音域用アンプ４２３とにそれぞれ出力する。同様に、帯域分離フィルタ４４２は、Ｒチャンネル用音楽信号を中高音域と低音域とに分離し、Ｒチャンネル用中高音域用アンプ４４３と低音域用アンプ４２３とにそれぞれ出力する。
【００３４】
Ｌチャンネル用中高音域用アンプ４０３は、入力信号を増幅し、帯域分離フィルタ４０５へ出力する。帯域分離フィルタ４０５は、Ｌチャンネル用中高音域音楽信号を高音域と中音域とに分離し、出力端子４０６，４０７を通して、高音域用ツイータ２１６と中音域用スピーカ２１３とにそれぞれ出力する。
【００３５】
同様に、Ｒチャンネル用中高音域用アンプ４４３は、入力信号を増幅し、帯域分離フィルタ４４５へ出力する。帯域分離フィルタ４４５は、Ｒチャンネル用中高音域音楽信号を高音域と中音域とに分離し、出力端子４４６，４４７を通して、高音域用ツイータ２１７と中音域用スピーカ２１４とにそれぞれ出力する。
【００３６】
低音域用アンプ４２３は、Ｌチャンネルの低音域音楽信号とＲチャンネルの低音域音楽信号とを合成して増幅し、出力端子４２６を通して、共通の低音域用バススピーカ２１５へ出力する。
【００３７】
なお、各アンプ（４０３，４２３，４４３）が有する音量調整手段（４０４，４２４，４４４）については、後に説明する第２の実施例（実施例２）において説明する。
【００３８】
次に、図１に戻って携帯電話機１の説明を行う。
【００３９】
携帯電話機１は、全体の制御を行うためのＣＰＵ（中央処理装置）１１１を搭載している。ＣＰＵ１１１は、バス１１２を介して装置内の各部と接続されている。このうちＲＯＭ１１３は、ＣＰＵ１１１が実行するための各種の制御用プログラムや音楽再生アプリケーション、音楽データの変換を行うためのデコーダ用プログラム等を格納したリード・オンリー・メモリである。作業用メモリ１１４、はＲＡＭ（ランダム・アクセス・メモリ）によって構成されており、ＣＰＵ１１１がプログラムを実行する上で一時的に必要とされる制御プログラムやデータを格納する。
【００４０】
音楽データ用デコーダ１１５は、ＤＳＰ（デジタル・シグナル・プロセッサ）等で構成され、暗号化された音楽データを、再生遅延情報と左右（Ｌ／Ｒチャンネル）の音データとに分割し、遅延情報に基づき左右チャンネルの音データに所定の演算処理を施しバーチャルサラウンド音楽データとして出力する。デコーダ用パラメータ格納メモリ１１６は、音楽データ用デコーダ１１５で用いるパラメータ等を格納するメモリであり、不揮発性メモリで構成されている。また本メモリはＭＰ３等の音楽データの格納に利用することも可能である。
【００４１】
割込みコントローラ１１７は、キー入力部１２０のキー押下、ドッキングシステム２との接続など指定された事象が発生するかどうかを監視し、指定された事象の発生を検出すると、ＣＰＵ１１１へ割込みを発生させて通知する回路である。
【００４２】
ドッキングシステム２との接続は、ＳＰＫ出力コネクタ１２６とドッキングシステム２のＳＰＫ入力コネクタ２１１との接続、及び、充電入力コネクタ１３２とドッキングシステム２の充電出力コネクタ２２１との接続が監視対象となる。これらコネクタ同士の接続を検出するには、様々な周知の技術（手段、方法）があるので、適切な技術を用いればよい。
【００４３】
例えば、ドッキングシステム２側のコネクタ（２１１，２２１）の特定の端子に特定の電位（地気、あるいは電源電位）を与えるようにしておき、携帯電話機１側のコネクタ（１２６，１３２）の対応する端子で、その電位を検出するようにすることができる。なお、電源電位を用いる場合は、充電電源そのものを用いることができ、端子も充電電源用の端子だけで済む。
【００４４】
あるいは、ドッキングシステム２側のコネクタの特定の２つの端子間を短絡させておき、携帯電話機１側のコネクタの対応する２つの端子間で、その短絡を検出するようにすることができる。
【００４５】
あるいは、携帯電話機１側のコネクタに機械的に動作するスイッチを設けておき、ドッキングシステム２側のコネクタを接続したときに、そのスイッチを動作させるようにすることができる。特に、ＳＰＫ出力コネクタ１２６の場合、ＳＰＫ入力コネクタ２１１との接続により内蔵スピーカ１２７，１２８との接続を切り離すために機械的スイッチを用いるならば、そのスイッチを利用することができる。
【００４６】
次に、他の回路の説明に進む。
【００４７】
送受信部１１８は、移動体通信システムの基地局等との間で、無線によってデータの送受信を行う回路である。データの種類としては、音楽データや、音声データなどがある。
【００４８】
キー入力部１２０は、音楽データの再生機能を呼び出すためのキー（Ｍｕｓｉｃキー）や、各種処理を終了させるためのキー（ＥＮＤキー）など、各種操作キー（特定キー）１２１の入力を受け付ける入力回路である。
【００４９】
表示制御部１２２は、表示部１２３の表示を制御する制御回路である。表示部１２３は、携帯電話機１本体の前面に配置されており、白黒あるいはカラーの液晶パネル、あるいは有機ＥＬ（電子蛍光）等の表示装置である。
【００５０】
デジタルアナログ変換部１２４は、音楽データ用デコーダ１１５で変換されたデジタルの音楽データや、送受信部１１８で受信、復調された音声データなどのデジタル信号を、アナログ信号に変換する回路である。音楽出力アンプ（音楽出力ＡＭＰ）１２５は、デジタルアナログ変換部１２４から出力されたアナログ信号を増幅する回路である。
【００５１】
スピーカ出力コネクタ（ＳＰＫ出力コネクタ）１２６は、音楽出力ＡＭＰ１２５により増幅されたアナログ信号を、携帯電話機１から外部機器（ドッキングシステム２等）へ接続するためのコネクタである。
【００５２】
なお、ＳＰＫ出力コネクタ１２６に外部機器が接続されていないときは、内蔵する左右（Ｌ／Ｒチャンネル）のスピーカ１２７，１２８へ、音楽出力ＡＭＰ１２５の出力信号を送出するようにすることができる。逆に、ＳＰＫ出力コネクタ１２６に外部機器が接続されているときは、内蔵スピーカ１２７，１２８へ、音楽出力ＡＭＰ１２５の出力信号を送出しない。このＳＰＫ出力コネクタ１２６と外部機器との接続の検出技術としては、上述の割込みコントローラ１１７に対する説明で紹介した技術を用いることができる。
【００５３】
充電回路１３０は、充電入力コネクタ１３２を経由して外部（ドッキングシステム２等）から供給された電源を利用し、バッテリ１３１を充電するための回路である。バッテリ１３１は、携帯電話機１全体の内部回路を動作させるための電源を供給するために利用する。
【００５４】
アナログデジタル変換部１４０は、音声入力部１４１から入力された音声を、アナログ−デジタル変換する回路である。音声入力部１４１は、マイクロフォンを有し、使用者の音声をアナログデータとして取り込む回路である。
【００５５】
外部メモリ１４２は、着脱自在な不揮発性メモリで構成されており、ＭＰ３等の音楽データの格納に利用する。図示していないが、携帯電話機１は、外部メモリ１４２を装着するための外部メモリ接続機構を備えており、外部メモリ１４２は、この外部メモリ接続機構を介してバス１１２に接続される。
【００５６】
図２は、図１に示す携帯電話機１及びドッキングシステム２の外観の構成例を示す図である。
【００５７】
図２において、ドッキングシステム２は、前面の中央下部に、携帯電話機１との接続のためのＳＰＫ入力コネクタ２１１と、充電出力コネクタ２２１とを備えている。携帯電話機１の下端には、これらコネクタに対応するＳＰＫ出力コネクタ１２６と、充電入力コネクタ１３２とが備えられている。携帯電話機１を、ドッキングシステム２の前面上部から下部に向かってスライドさせることにより、ＳＰＫ出力コネクタ１２６とＳＰＫ入力コネクタ２１１とが、また、充電入力コネクタ１３２と充電出力コネクタ２２１とがそれぞれ接続される。
【００５８】
ドッキングシステム２の前面の左側上部には、Ｌチャンネル用の高音域用ツイータ２１６が、同左側下部には、Ｌチャンネル用の中音域用スピーカ２１３が、備えられている。同様に、ドッキングシステム２の前面の右側上部には、Ｒチャンネル用の高音域用ツイータ２１７が、同右側下部には、Ｒチャンネル用の中音域用スピーカ２１４が、備えられている。
【００５９】
ドッキングシステム２の背面に、Ｌ／Ｒチャンネル共通の低音域用バススピーカ２１５が備えられており、その開口部は、例えばドッキングシステム２の右端にある。
【００６０】
また、ドッキングシステム２の右端には、外部からの電源供給を受ける電源コネクタ２２０が設けてある。
【００６１】
次に、図１，２，４とともに、図３のフローチャートを参照して、本実施例の動作を説明する。
【００６２】
使用者はまず、ドッキングシステム２の電源コネクタ２２０に、充電器を接続する。使用者は続いて、携帯電話機１を、待ち受け状態のときに（ステップＳ３０１）、ドッキングシステム２にセットする。携帯電話機１のＳＰＫ出力コネクタ１２６と、ドッキングシステム２のＳＰＫ入力コネクタ２１１とが接続され、携帯電話機１の充電入力コネクタ１３２と、ドッキングシステム２の充電出力コネクタ２２１とが接続される。
【００６３】
割込みコントローラ１１７は、それぞれの接続を検出し（ステップＳ３０２のＹ側）、割込みをＣＰＵ１１１へ通知する。ＣＰＵ１１１は、ドッキングシステム２との接続状態を認識し（ステップＳ３０３）、充電回路１３０を制御してバッテリ１３１への充電を開始させる（ステップＳ３０４）。
【００６４】
充電状態にて（ステップＳ３０４）、音楽再生を希望する使用者は、特定キー（１２１）である“音楽再生キー”として割り振られた所定のキー（例えば、“Ｍｕｓｉｃ”キー）を押下する。割込みコントローラ１１７は、このキーの押下を検出し（ステップＳ３０５のＹ側）、割込みをＣＰＵ１１１へ通知する。
【００６５】
ＣＰＵ１１１は、同割り込みを契機に、ＲＯＭ１１３から音楽再生アプリケーションを作業用メモリ１１４に転送、格納し、同アプリケーションを実行する（ステップＳ３０６）。ＣＰＵ１１１は、同アプリケーションに従い、外部メモリ１４２に保存されている複数の音楽データの一覧を取得し、表示部１２３に表示する（ステップＳ３０７）。
【００６６】
使用者は、操作キー（特定キー）１２１を操作して音楽データの一覧から再生する音楽を選択する（ステップＳ３０８のＹ側）。なお、ここで音楽データの選択を止める場合は、特定キーである“ＥＮＤキー”を押下する。
【００６７】
ＣＰＵ１１１は、使用者により選択された音楽データの種別を解析し、選択された音楽データと、デコーダ用パラメータ格納メモリ１１６に保存されている対象データのパラメータとを、音楽データ用デコーダ１１５に転送する。音楽データ用デコーダ１１５は、入力された音楽データ及びパラメータに従い、再生遅延情報と左右（Ｌ／Ｒチャンネル）の音データへの分割を含むデコード処理を行う（ステップＳ３０９）。
【００６８】
音楽データ用デコーダ１１５は、デコード完了したデータを、遅延情報に基づきデジタルアナログ変換部１２４へ転送し、アナログ信号へ変換させる。音楽出力ＡＭＰ１２５は、デジタルアナログ変換部１２４の出力信号を増幅し、ＳＰＫ出力コネクタ１２６からドッキングシステム２へ出力する（ステップＳ３１０）。
【００６９】
ドッキングシステム２では、ＳＰＫ  ＡＭＰ２１２が、ＳＰＫ入力コネクタ２１１を通して携帯電話機１から受信したアナログ信号を、高音域、中音域、低音域に分離し、各スピーカ、ツィータ（２１３〜２１７）の信号レベルへ増幅する（ステップＳ３５０）。
【００７０】
ＳＰＫ  ＡＭＰ２１２の出力信号は、各スピーカ、すなわち、Ｌ／Ｒチャンネルの中音域用スピーカ２１３，２１４と、Ｌ／Ｒチャンネルの高音域用ツィータ２１６，２１７と、低音域用バススピーカ２１５とにて、サラウンド音楽として再生される（ステップＳ３５１）。
【００７１】
本実施例によれば、使用者は別途サラウンド対応のスピーカセットを準備する必要がなくなるだけでなく、バッテリを充電しながらサラウンド（バーチャルサラウンド）の音楽を高音質で再生することが可能となる。このため、バッテリの残量を気にすることなく、携帯電話機の音楽再生機能をより広範に利用することができる。
【実施例２】
【００７２】
次に本発明の他の実施例（実施例２）を説明する。
【００７３】
図４に示すように、ＳＰＫ  ＡＭＰ２１２を構成する、各アンプ（４０３，４２３，４４３）は、信号増幅度を調整可能とする可変抵抗器などの音量調整手段（４０４，４２４，４４４）を備えている。すなわち、Ｌチャンネル用中高音域用アンプ４０３は、音量調整手段４０４を有し、低音域用アンプ４２３は、音量調整手段４２４を有し、Ｒチャンネル用中高音域用アンプ４４３は、音量調整手段４４４を有している。
【００７４】
使用者は、各音量調整手段４０４，４２４，４４４を操作することにより、対応するスピーカ２１３〜２１７からそれぞれ出力される可聴音（再生音楽音）の音量（ボリューム）を任意に制御することができる。
【００７５】
なお、これら音量調整手段４０４，４２４，４４４の操作ツマミは、図２に示す配置の空きスペースの任意の位置に、配置することができる。
【図面の簡単な説明】
【００７６】
【図１】本発明の実施例を示すブロック図である。
【図２】本発明の外観構成例を示す模式図である。
【図３】本発明のサラウンド音楽再生方法を説明するためのフローチャートである。
【図４】図１に示すスピーカアンプの内部構成例を示すブロック図である。
【符号の説明】
【００７７】
１    携帯電話機
２    ドッキングシステム
１１１    ＣＰＵ（中央処理装置）
１１５    音楽データ用デコーダ
１１６    デコーダ用パラメータ格納メモリ
１１７    割込みコントローラ
１２０    キー入力部
１２３    表示部
１２４    デジタルアナログ変換部
１２５    音楽出力アンプ（音楽出力ＡＭＰ）
１２６    スピーカ出力コネクタ（ＳＰＫ出力コネクタ）
１３１    バッテリ
１３２    充電入力コネクタ
１４２    外部メモリ
２１１    スピーカ入力コネクタ（ＳＰＫ入力コネクタ）
２１２    スピーカアンプ（ＳＰＫ  ＡＭＰ）
２１３，２１４    中音域用スピーカ
２１５    低音域用バススピーカ
２１６，２１７    高音域用ツイータ
２２１    充電出力コネクタ
【図１】
2006094367.tif 000003
【図２】
2006094367.tif 000004
【図３】
2006094367.tif 000005
【図４】
2006094367.tif 000006